(57)【要約】【課題】  画像形成装置により生成されたスキャン画像データをホスト装置へ転送する際に、ホスト装置において不具合を発生しにくくする。【解決手段】  画像形成装置１において、画像読取部１３は、スキャン設定に従って原稿画像を読み取りスキャン画像データを生成し、制御部３１は、スキャン設定および／または読み取られたスキャン画像データに基づいて、ホスト装置２に１度に連続して転送可能なページ数を特定する。これにより、このページ数に基づいて、送信データ量を減少させたり、スキャン設定を変更したりすることができる。【選択図】図１
2011049698.tif 000002
【特許請求の範囲】
【請求項１】
スキャン設定に従って原稿画像を読み取りスキャン画像データを生成する画像読取部と、
前記スキャン設定および／または読み取られた前記スキャン画像データに基づいて、ホスト装置に１度に連続して転送可能なページ数を特定するページ数演算部と、
を備えることを特徴とする画像形成装置。
【請求項２】
前記ページ数演算部により特定されたページ数以下のスキャン画像データを前記ホスト装置へ送信する通信処理部を備えることを特徴とする請求項１記載の画像形成装置。
【請求項３】
表示装置と、
ユーザ操作を検出する入力装置と、
前記ページ数演算部により特定されたページ数を前記表示装置に表示させる表示制御部とを備え、
前記表示装置に前記ページ数が表示されているときに、前記入力装置により所定のユーザ操作が検出されると、前記画像読取部は、少なくともそのページ数分の原稿画像を読み取り、前記通信処理部は、そのページ数分の前記スキャン画像データを前記ホスト装置へ送信すること、
を特徴とする請求項２記載の画像形成装置。
【請求項４】
前記画像読取部は、前記ページ数演算部が前記ページ数を特定するために、前記原稿画像のうちの一部のみを読み取りスキャン画像データを生成し、その後、前記通信処理部による送信のために、少なくとも前記ページ数分の原稿画像を読み取りスキャン画像データを生成することを特徴とする請求項２または請求項３記載の画像形成装置。
【請求項５】
表示装置と、
ユーザ操作を検出する入力装置と、
前記ページ数演算部により特定されたページ数を前記表示装置に表示させる表示制御部と、
前記表示装置に前記ページ数が表示されているときに、前記入力装置により所定のユーザ操作が検出されると、前記スキャン設定を変更する設定変更部とを備え、
前記ページ数演算部は、変更された前記スキャン設定に基づいて、前記ホスト装置に１度に連続して転送可能なページ数を再度特定すること、
を特徴とする請求項２または請求項３記載の画像形成装置。
【請求項６】
前記スキャン設定は、前記スキャン画像データの、画像サイズ、解像度、カラー／モノクロ設定、およびファイル形式のうちの少なくとも１つを含むことを特徴とする請求項１から請求項５のうちのいずれか１項記載の画像形成装置。
【請求項７】
ネットワークに接続された画像形成装置と、
前記ネットワークに接続されたホスト装置とを備え、
前記画像形成装置は、
スキャン設定に従って原稿画像を読み取りスキャン画像データを生成する画像読取部と、
前記スキャン設定および／または読み取られた前記スキャン画像データに基づいて、ホスト装置に１度に連続して転送可能なページ数を特定するページ数演算部と、
前記ページ数演算部により特定されたページ数を前記ホスト装置へ送信する第１通信部と、
を有し、
前記ホスト装置は、
前記ページ数を受信する第２通信部と、
受信された前記ページ数を表示装置に表示させる表示制御部と、
を有すること、
を特徴とする画像形成システム。
【発明の詳細な説明】
【技術分野】
【０００１】
本発明は、画像形成装置および画像形成システムに関するものである。
【背景技術】
【０００２】
ネットワーク機能およびスキャナ機能を有する画像形成装置（ネットワークスキャナ、コピー機、複合機など）は、スキャナ機能で、原稿を読み取り、その原稿の画像データ（以下、スキャン画像データという）を生成し、ネットワーク機能で、その画像データを、ホスト装置へ送信することができる。
【０００３】
そのような画像形成装置には、画像データを圧縮してバッファリングしつつ端末装置へ送信することで、高解像度の画像データをホスト装置へ送信可能とするものがある（例えば特許文献１参照）。
【先行技術文献】
【特許文献】
【０００４】
【特許文献１】特開２００７−２９５２８３号公報
【発明の概要】
【発明が解決しようとする課題】
【０００５】
スキャン画像データをホスト装置へ送信する際に、スキャン設定によってはスキャン画像データのデータサイズが大きくなり、それに起因してホスト装置で、受信エラーや受信の強制終了などの不具合が発生したりする。
【０００６】
また、ホスト装置は、スキャン画像データを受信したときに、そのスキャン画像データのファイル形式を別のファイル形式に変換する。このファイル形式の変換処理の速度がスキャン画像データの受信速度より遅いと、ホスト装置において、エラーや強制終了などの不具合が発生したりする。
【０００７】
しかしながら、ユーザは、自己が入力したスキャン設定でスキャンを実行した場合に上述の不具合が発生するか否かを事前に判定することは困難である。
【０００８】
本発明は、上記の問題に鑑みてなされたものであり、画像形成装置により生成されたスキャン画像データをホスト装置へ転送する際に、ホスト装置において不具合を発生しにくくすることができる画像形成装置および画像形成システムを得ることを目的とする。
【課題を解決するための手段】
【０００９】
上記の課題を解決するために、本発明では以下のようにした。
【００１０】
本発明に係る画像形成装置は、スキャン設定に従って原稿画像を読み取りスキャン画像データを生成する画像読取部と、スキャン設定および／または読み取られたスキャン画像データに基づいて、ホスト装置に１度に連続して転送可能なページ数を特定するページ数演算部とを備える。
【００１１】
これにより、このページ数に基づいて、送信データ量を減少させたり、スキャン設定を変更したりすることができるため、画像形成装置により生成されたスキャン画像データをホスト装置へ転送する際に、ホスト装置において不具合を発生しにくくすることができる。
【００１２】
また、本発明に係る画像形成装置は、上記の画像形成装置に加え、次のようにしてもよい。この場合、画像形成装置は、さらに、ページ数演算部により特定されたページ数以下のスキャン画像データをホスト装置へ送信する通信処理部を備える。
【００１３】
これにより、送信データ量が多くならないため、画像形成装置により生成されたスキャン画像データをホスト装置へ転送する際に、ホスト装置において不具合を発生しにくくすることができる。
【００１４】
また、本発明に係る画像形成装置は、上記の画像形成装置に加え、次のようにしてもよい。この場合、画像形成装置は、さらに、表示装置と、ユーザ操作を検出する入力装置と、ページ数演算部により特定されたページ数を表示装置に表示させる表示制御部とを備える。そして、表示装置にページ数が表示されているときに、入力装置により所定のユーザ操作が検出されると、画像読取部は、少なくともそのページ数分の原稿画像を読み取り、通信処理部は、そのページ数分のスキャン画像データをホスト装置へ送信する。
【００１５】
これにより、ユーザによる許可の後にスキャン画像データの送信が行われるため、ユーザの意図しないスキャン結果となる可能性が低くなる。
【００１６】
また、本発明に係る画像形成装置は、上記の画像形成装置に加え、次のようにしてもよい。この場合、画像読取部は、ページ数演算部がページ数を特定するために、原稿画像のうちの一部のみを読み取りスキャン画像データを生成し、その後、通信処理部による送信のために、少なくともページ数分の原稿画像を読み取りスキャン画像データを生成する。
【００１７】
これにより、スキャン画像データに基づいて、転送可能なページ数を特定する場合に、ページ数特定に要する時間を短くすることができる。
【００１８】
また、本発明に係る画像形成装置は、上記の画像形成装置に加え、次のようにしてもよい。この場合、画像形成装置は、表示装置と、ユーザ操作を検出する入力装置と、ページ数演算部により特定されたページ数を表示装置に表示させる表示制御部と、表示装置にページ数が表示されているときに、入力装置により所定のユーザ操作が検出されると、スキャン設定を変更する設定変更部とを備える。そして、ページ数演算部は、変更されたスキャン設定に基づいて、ホスト装置に１度に連続して転送可能なページ数を再度特定する。
【００１９】
これにより、例えば解像度を低くして、より多くのページを含むスキャン画像データを送信したり、例えば解像度を高くして、より精細な画像を含むスキャン画像データを送信したりすることができる。
【００２０】
また、本発明に係る画像形成装置は、上記の画像形成装置に加え、次のようにしてもよい。この場合、スキャン設定は、スキャン画像データの、画像サイズ、解像度、カラー／モノクロ設定、およびファイル形式のうちの少なくとも１つを含む。
【００２１】
本発明に係る画像形成システムは、ネットワークに接続された画像形成装置と、そのネットワークに接続されたホスト装置とを備える。そして、画像形成装置は、スキャン設定に従って原稿画像を読み取りスキャン画像データを生成する画像読取部と、スキャン設定および／または読み取られたスキャン画像データに基づいて、ホスト装置に１度に連続して転送可能なページ数を特定するページ数演算部と、ページ数演算部により特定されたページ数をホスト装置へ送信する第１通信部とを有する。また、ホスト装置は、ページ数を受信する第２通信部と、受信されたページ数を表示装置に表示させる表示制御部とを有する。
【００２２】
これにより、このページ数に基づいて、送信データ量を減少させたり、スキャン設定を変更したりすることができるため、画像形成装置により生成されたスキャン画像データをホスト装置へ転送する際に、ホスト装置において不具合を発生しにくくすることができる。
【発明の効果】
【００２３】
本発明によれば、画像形成装置により生成されたスキャン画像データをホスト装置へ転送する際に、ホスト装置において不具合を発生しにくくすることができる。
【図面の簡単な説明】
【００２４】
【図１】図１は、本発明の実施の形態１に係る画像形成装置を含むシステムの構成を示すブロック図である。
【図２】図２は、実施の形態１に係る画像形成装置の動作を説明するフローチャートである。
【図３】図３は、実施の形態１において表示される、ホスト装置へ転送可能なページ数を含むユーザインタフェース画面の一例を示す図である。
【発明を実施するための形態】
【００２５】
以下、図に基づいて本発明の実施の形態を説明する。
【００２６】
実施の形態１．
【００２７】
図１は、本発明の実施の形態１に係る画像形成装置を含むシステムの構成を示すブロック図である。
【００２８】
図１において、画像形成装置１は、ネットワークスキャナ、コピー機、複合機などの、スキャナ機能およびネットワーク機能を有する装置である。ホスト装置２は、ディスプレイなどの表示装置５１およびキーボード、マウスなどの入力装置５２を接続しており、ネットワーク３を介して画像形成装置１の操作を行う装置である。ネットワーク３は、ＬＡＮ（Local Area Network）、インターネットなどのＷＡＮ（Wide Area Network）、その他の電気通信回線を適宜含むデータ通信路である。
【００２９】
画像形成装置１において、ＵＩ部１１は、表示装置２１および入力装置２２を含むユーザインタフェースを構成する装置である。表示装置２１は、液晶ディスプレイなどである。入力装置２２は、手書き入力および／またはキーボード入力が可能な、キー、液晶ディスプレイの画面上に配置された透明なタッチパネルなどを有する装置である。ＵＩ部１１は、例えば、画像形成装置１の筐体に配置される操作パネルである。
【００３０】
また、データ格納装置１２は、各種データを格納する装置である。データ格納装置１２としては、不揮発性メモリ、ハードディスクドライブなどが使用される。データ格納装置１２には、表示装置２１において表示されるユーザインタフェース画面のデータなどが格納される。
【００３１】
また、図１における画像読取部１３は、オートドキュメントフィーダやフラットベッドに配置された原稿の画像を順番に読み取り、その画像データを出力する装置である。
【００３２】
また、画像保存部１４は、画像読取部１３から出力された画像データを一時的に格納する装置である。画像保存部１４としては、例えばメモリやハードディスクドライブが使用される。画像保存部１４としてデータ格納装置１２を使用してもよい。
【００３３】
また、ネットワーク通信部１６は、ネットワーク３を介してホスト装置２と通信を行う装置である。ネットワーク通信部１６としては、ネットワークインタフェースカード、モデムなどが使用される。
【００３４】
また、演算処理部１７は、ＣＰＵ（Central Processing Unit）、ＲＯＭ（Read Only Memory）、ＲＡＭ（Random Access Memory）などを有するコンピュータで、データ格納装置１２などに格納された各種プログラムを実行する。演算処理部１７では、プログラムが実行されることにより、制御部３１、ＵＩ処理部３２および通信処理部３３が実現される。
【００３５】
制御部３１は、画像読取部１３、画像保存部１４などの内部機器を制御する処理部である。また、制御部３１は、スキャン設定および／または読み取られたスキャン画像データに基づいて、ホスト装置２に１度に連続して転送可能なページ数を特定するページ数演算部として機能する。
【００３６】
ＵＩ処理部３２は、ＵＩ部１１を制御し、ＵＩ部１１における入力装置２２において検出されたユーザ操作を電気信号として取得したり、ＵＩ部１１における表示装置２１へ各種情報を表示させたりする処理部である。ＵＩ処理部３２は、ページ数演算部としての制御部３１により特定されたページ数を表示装置２１に表示させる表示制御部として機能する。
【００３７】
通信処理部３３は、ネットワーク通信部１６を使用して、ホスト装置２の通信処理部４３およびドライバ４２との間で所定のプロトコルでデータ通信を行い、通信処理部４３へスキャン画像データを送信する処理部である。通信処理部３３は、例えば、ＨＴＴＰ（Hypertext Transfer Protocol）、ＦＴＰ（File Transfer Protocol）、ＳＭＢ（Server Message Block）などのプロトコルで、ファイルとしてスキャン画像データを送信する。
【００３８】
一方、ホスト装置２は、ネットワーク機能を有し、画像形成装置１用のドライバをインストールされているパーソナルコンピュータなどである。
【００３９】
ホスト装置２において、ネットワーク通信部４１は、ネットワーク３を介して画像形成装置１と通信を行う装置である。ネットワーク通信部４１としては、ネットワークインタフェースカード、モデムなどが使用される。
【００４０】
ドライバ４２は、図示せぬプロセッサによりドライバプログラムが実行されることにより実現される処理部である。ドライバ４２は、設定画面を表示装置５１に表示させ、入力装置５２へのユーザ操作に従って設定値を決定したり、ネットワーク３を介して画像形成装置１へコマンドを送信して動作させたりする。
【００４１】
通信処理部４３は、ネットワーク通信部４１を使用して、画像形成装置１の通信処理部３３との間で所定のプロトコルでデータ通信を行い、スキャン画像データを受信する処理部である。
【００４２】
データ格納装置４４は、画像形成装置１から送信されてきたスキャン画像データなどの各種データを格納する装置である。データ格納装置４４としては、不揮発性メモリ、ハードディスクドライブなどが使用される。
【００４３】
次に、上記システムにおける各装置の動作について説明する。
【００４４】
図２は、実施の形態１に係る画像形成装置１の動作を説明するフローチャートである。
【００４５】
ユーザが、所定ページの原稿をオートドキュメントフィーダなどに配置し、画像形成装置１の入力装置２２を操作してスキャン要求を入力すると、ＵＩ処理部３２がその操作を検出し（ステップＳ１）、制御部３１は、ユーザにより入力されたスキャン設定および／またはスキャン画像データに基づいて、ホスト装置２に１度に連続して転送可能なページ数を特定する（ステップＳ２）。つまり、一定時間内に転送しても不具合が生じないデータ量が、上述のページ数として特定される。
【００４６】
スキャン設定に基づいて、ホスト装置２に１度に連続して転送可能なページ数を特定する場合には、制御部３１は、スキャン設定の各設定項目の値から、上述のページ数を特定する。つまり、制御部３１は、スキャン設定の各設定項目の値から、１ページ分のスキャン画像データのデータサイズを推定し、所定の上限データサイズをその１ページ分の推定データサイズで除算して、転送可能なページ数を特定する。なお、１ページ分のスキャン画像データのデータサイズは、例えば特許第２９８８２７１号に記載された方法等の公知技術を用いて推定することができる。あるいは、予め、所定のテストチャートを用いて、スキャン設定ごとのデータサイズを測定してデータ格納装置１２に格納しておき、上述のページ数を特定するときに、制御部３１がスキャン設定に対応するデータサイズをデータ格納装置１２から抽出して用いてもよい。上限データサイズは、１度に転送しても不具合が生じない既知のサイズであり、予め実験で求めてもよいし、あるいは、ドライバ４２が自己の処理速度を測定し、その測定結果から上限データサイズを求めて画像形成装置１に通知するようにしてもよい。また、スキャン設定の設定項目としては、画像解像度、画像サイズ、カラー／モノクロ設定、ファイル形式、データ圧縮率などがある。ファイル形式としては、ＰＤＦ（Portable Document Format）、ＴＩＦＦ（Tagged Image File Format）、ビットマップ、ＰＮＧ（Portable Network Graphics）などがある。なお、このとき、ホスト装置２においてファイル形式の変換が行われる場合には、変換前のファイル形式と変換後のファイル形式との組み合わせをさらに考慮して、転送可能なページ数を特定するようにしてもよい。
【００４７】
スキャン画像データに基づいて、ホスト装置２に１度に連続して転送可能なページ数を特定する場合には、制御部３１は、まず、上述のページ数の特定のために、画像読取部１３を制御して、原稿の第１ページの一部、第１ページ、一部の複数ページ、あるいはすべてのページを読み取り、スキャン画像データを生成させる。そして、制御部３１は、そのスキャン画像データのデータサイズと所定の上限データサイズから、上述のページ数を特定する。
【００４８】
そして、制御部３１により上述のページ数が特定されると、ＵＩ処理部３２は、そのページ数を表示装置２１に表示させる（ステップＳ４）。図３は、実施の形態１において表示される、ホスト装置２へ転送可能なページ数を含むユーザインタフェース画面の一例を示す図である。図３に示すように、このユーザインタフェース画面において、ホスト装置２へ１度に連続してデータ転送可能ページ数（図３では５ページ）が、スキャン設定の設定値のリストともに表示される。さらに、このユーザインタフェース画面においては、そのページ数分のみスキャン画像データを送信させるための実行ボタン１０１、スキャン設定の設定値を変更するための設定変更ボタン１０２、およびスキャンを中止するための中止ボタン１０３が表示される。
【００４９】
そして、ＵＩ処理部３２は、これらのボタン１０１〜１０３へのユーザ操作の有無を監視する（ステップＳ５〜Ｓ７）。
【００５０】
設定変更ボタン１０２が操作されるとＵＩ処理部３２がその操作を検出し（ステップＳ５）、制御部３１は、スキャン設定の値を編集するための図示せぬ設定画面を表示装置２１に表示させ、入力装置２２へのユーザ操作に従って、スキャン設定の値を変更する（ステップＳ８）。スキャン設定の値が変更されると、制御部３１は、ステップＳ２以降の処理を再度実行する。
【００５１】
また、中止ボタン１０３が操作されるとＵＩ処理部３２がその操作を検出し（ステップＳ６）、制御部３１は、ステップＳ１におけるスキャン要求についての処理を終了する。
【００５２】
実行ボタン１０１が操作されるとＵＩ処理部３２がその操作を検出し（ステップＳ７）、制御部３１は、画像読取部１３に、少なくとも、特定されたページ数の原稿画像を読み取らせ、特定されたページ数分のスキャン画像データを生成させる（ステップＳ９）。そして、通信処理部３３は、その生成されたスキャン画像データをホスト装置２へ送信する。このとき、１ページ分のスキャン画像データがそれぞれ１つのファイルとして送信されるようにしてもよいし、生成された複数ページ分のスキャン画像データが１つのファイルとして送信されるようにしてもよい。なお、原稿の総ページ数が、特定されたページ数より小さい場合には、すべてのページの原稿画像が読み取られ、すべてのページのスキャン画像データがホスト装置２へ送信される。
【００５３】
そして、ホスト装置２では、ドライバ４２が、ネットワーク通信部４１を使用して、そのスキャン画像データを受信し、ファイル形式を変換した後に、データ格納装置４４に格納する。なお、ファイル形式の変換が不要である場合には、ホスト装置２では、通信処理部４３が、ネットワーク通信部４１を使用して、そのスキャン画像データを受信し、データ格納装置４４に格納するようにしてもよい。
【００５４】
以上のように、上記実施の形態１によれば、画像読取部１３は、スキャン設定に従って原稿画像を読み取りスキャン画像データを生成し、制御部３１は、スキャン設定および／または読み取られたスキャン画像データに基づいて、ホスト装置２に１度に連続して転送可能なページ数を特定する。
【００５５】
これにより、このページ数に基づいて、送信データ量を減少させたり、スキャン設定を変更したりすることができるため、画像形成装置１により生成されたスキャン画像データをホスト装置２へ転送する際に、ホスト装置２において不具合を発生しにくくすることができる。
【００５６】
また、上記実施の形態１によれば、画像形成装置１の通信処理部３３は、制御部３１により特定されたページ数以下のスキャン画像データをホスト装置２へ送信する。
【００５７】
これにより、送信データ量が多くならないため、画像形成装置により生成されたスキャン画像データをホスト装置２へ転送する際に、ホスト装置２において不具合を発生しにくくすることができる。
【００５８】
また、上記実施の形態１によれば、表示装置２１にページ数が表示されているときに、入力装置２２により所定のユーザ操作（上述の実行ボタン１０１の操作）が検出されると、画像読取部１３は、少なくともそのページ数分の原稿画像を読み取り、通信処理部３３は、そのページ数分のスキャン画像データをホスト装置２へ送信する。
【００５９】
これにより、ユーザによる許可の後にスキャン画像データの送信が行われるため、ユーザの意図しないスキャン結果となる可能性が低くなる。
【００６０】
また、上記実施の形態１によれば、画像読取部１３は、制御部３１がページ数を特定するために、原稿画像のうちの一部のみを読み取りスキャン画像データを生成し、その後、通信処理部３３による送信のために、少なくともページ数分の原稿画像を読み取りスキャン画像データを生成する。
【００６１】
これにより、スキャン画像データに基づいて、転送可能なページ数を特定する場合に、ページ数特定に要する時間を短くすることができる。
【００６２】
また、上記実施の形態１によれば、表示装置２１にページ数が表示されているときに、入力装置２２により所定のユーザ操作（上述の設定変更ボタン１０２の操作）が検出されると、制御部３１は、スキャン設定を変更し、変更したスキャン設定に基づいて、ホスト装置２に１度に連続して転送可能なページ数を再度特定する。
【００６３】
これにより、例えば解像度を低くして、より多くのページを含むスキャン画像データを送信したり、例えば解像度を高くして、より精細な画像を含むスキャン画像データを送信したりすることができる。
【００６４】
実施の形態２．
【００６５】
本発明の実施の形態１では、ユーザインタフェースとして画像形成装置１のＵＩ部１１が使用されているが、実施の形態２では、ユーザインタフェースとして、ホスト装置２の表示装置５１と入力装置５２とが代わりに使用される。
【００６６】
実施の形態２では、画像形成装置１の通信処理部３３とホスト装置２のドライバ４２との間で通信が行われ、画像形成装置１からホスト装置２へ、表示装置５１へユーザインタフェース画面を表示させるためのデータが転送されるとともに、ホスト装置２から画像形成装置１へ、入力装置５２で検出されたユーザ操作の情報が転送される。
【００６７】
したがって、図３に示すユーザインタフェース画面もホスト装置２の表示装置５１に表示されるため、画像形成装置１からホスト装置２へ１度に連続して転送可能なページ数も、表示装置５１で表示される。
【００６８】
実施の形態２における画像形成装置１およびホスト装置２のその他の構成および動作については実施の形態１のものと同様であるので、その説明を省略する。
【００６９】
以上のように、上記実施の形態２によれば、画像形成装置１は、スキャン設定に従って原稿画像を読み取りスキャン画像データを生成する画像読取部１３と、スキャン設定および／または読み取られたスキャン画像データに基づいて、ホスト装置２に１度に連続して転送可能なページ数を特定する制御部３１と、制御部３１により特定されたページ数をホスト装置２へ送信するネットワーク通信部１６とを有する。また、ホスト装置２は、ページ数を受信するネットワーク通信部４１と、受信されたページ数を表示装置５１に表示させるドライバ４２とを有する。
【００７０】
これにより、ホスト装置２から画像形成装置１を操作する場合でも、このページ数に基づいて、送信データ量を減少させたり、スキャン設定を変更したりすることができるため、画像形成装置１により生成されたスキャン画像データをホスト装置２へ転送する際に、ホスト装置２において不具合を発生しにくくすることができる。
【００７１】
なお、上述の各実施の形態は、本発明の好適な例であるが、本発明は、これらに限定されるものではなく、本発明の要旨を逸脱しない範囲において、種々の変形、変更が可能である。
【産業上の利用可能性】
【００７２】
本発明は、例えば、ホスト装置からネットワークを介して画像形成装置を使用するシステムに適用可能である。
【符号の説明】
【００７３】
１  画像形成装置
２  ホスト装置
３  ネットワーク
１３  画像読取部
１６  ネットワーク通信部（第１通信部の一例）
２１  表示装置
２２  入力装置
３１  制御部（ページ数演算部の一例，設定変更部の一例）
３２  ＵＩ処理部（表示制御部の一例）
３３  通信処理部
４１  ネットワーク通信部（第２通信部の一例）
４２  ドライバ（表示制御部の一例）
５１  表示装置
【図１】
2011049698.tif 000003
【図２】
2011049698.tif 000004
【図３】
2011049698.tif 000005